(57)【要約】【課題】装着時の形状が湾曲した場合でも正しく装着できる空気調和機の空気清浄フィルターを提供すること。【解決手段】この発明に係る空気調和機の空気清浄フィルターは、濾過機能を有する板状のフィルター材と、このフィルター材が装着され、表面及び裏面に格子状リブを設けたフィルター枠部材とを有する空気調和機の空気清浄フィルターにおいて、空気清浄フィルターが湾曲した場合に、曲率の大きい表面側の格子状リブと曲率の小さい裏面側の格子状リブとの間に生じる長さの差を吸収する形状変化量差吸収部を、曲率の小さい裏面側の格子状リブに設けたことを特徴とする。【選択図】　　　　図１
2004108705.tif 000002
【特許請求の範囲】
【請求項１】
濾過機能を有する板状のフィルター材と、このフィルター材が装着され、表面及び裏面に格子状リブを設けたフィルター枠部材とを有する空気調和機の空気清浄フィルターにおいて、
空気清浄フィルターが湾曲した場合に、曲率の大きい表面側の格子状リブと曲率の小さい裏面側の格子状リブとの間に生じる長さの差を吸収する形状変化量差吸収部を、曲率の小さい裏面側の格子状リブに設けたことを特徴とする空気調和機の空気清浄フィルター。
【請求項２】
前記形状変化量差吸収部を、縦格子を廃止した縦格子廃止部で構成したことを特徴とする請求項１に記載の空気調和機の空気清浄フィルター。
【請求項３】
前記縦格子廃止部を、裏面側の格子状リブの上部、下部の少なくとも一方に設けたことを特徴とする請求項２に記載の空気調和機の空気清浄フィルター。
【請求項４】
前記フィルター材を前記縦格子廃止部から装着し、表面及び裏面の格子状リブを一体に成型することを特徴とする請求項３に記載の空気調和機の空気清浄フィルター。
【請求項５】
前記縦格子廃止部における横格子を、湾曲させた場合に水平になるように予め斜めに形成しておき、湾曲させた状態で表面及び裏面の横格子が風の流れの方向に重なることを特徴とする請求項２又は請求項３に記載の空気調和機の空気清浄フィルター。
【請求項６】
前記形状変化量差吸収部を、横格子のたわみにより形状変化量を吸収する枠形状部で構成したことを特徴とする請求項１に記載の空気調和機の空気清浄フィルター。
【請求項７】
前記枠形状部に連結する縦格子を、該枠形状部の横格子のほぼ中央に位置するようにしたことを特徴とする請求項６に記載の空気調和機の空気清浄フィルター。
【請求項８】
空気吸込口のグリルと熱交換器との間に空気清浄フィルターが湾曲した状態で装着される空気調和機において、
前記空気清浄フィルターは、濾過機能を有する板状のフィルター材と、このフィルター材が装着され、表面及び裏面に格子状リブを設けたフィルター枠部材とを有し、前記空気清浄フィルターが湾曲した場合に、曲率の大きい表面側の格子状リブと曲率の小さい裏面側の格子状リブとの間に生じる長さの差を吸収する形状変化量差吸収部を、曲率の小さい裏面側の格子状リブに設けたことを特徴とする空気調和機。
【請求項９】
前記形状変化量差吸収部を、縦格子を廃止した縦格子廃止部で構成したことを特徴とする請求項８に記載の空気調和機。
【請求項１０】
前記形状変化量差吸収部を、横格子のたわみにより形状変化量を吸収する枠形状部で構成したことを特徴とする請求項８に記載の空気調和機。
【請求項１１】
濾過機能を有する板状のフィルター材と、このフィルター材が装着され、表面及び裏面に格子状リブを設けたフィルター枠部材とを有する空気清浄フィルターにおいて、
空気清浄フィルターが湾曲した場合に、曲率の大きい表面側の格子状リブと曲率の小さい裏面側の格子状リブとの間に生じる長さの差を吸収する形状変化量差吸収部を、曲率の小さい裏面側の格子状リブに設けたことを特徴とする空気清浄フィルター。
【請求項１２】
前記形状変化量差吸収部を、縦格子を廃止した縦格子廃止部で構成したことを特徴とする請求項１１に記載の空気清浄フィルター。
【請求項１３】
前記形状変化量差吸収部を、横格子のたわみにより形状変化量を吸収する枠形状部で構成したことを特徴とする請求項１１に記載の空気清浄フィルター。
【発明の詳細な説明】
【０００１】
【発明の属する技術分野】
この発明は空気調和機の空気清浄フィルター及び空気調和機及び空気清浄フィルターに関するもので、詳しくは空気清浄フィルターのフィルター材を固定する枠に関するものである。
【０００２】
【従来の技術】
従来の空気調和機の空気清浄フィルターは、フィルター枠とフィルター材で構成されている。フィルター枠は、例えばプラスチック製のもので、矩形枠状の第１のフレームとこれと同じサイズを有する格子枠状の第２のフレームとを薄肉に形成されたインテグラルヒンジを介して２つ折りに折り畳み可能に一体に連接している。フィルター材は、第１のフレームと第２のフレームとの間に挟まるように装着される。
【０００３】
上記空気調和機の空気清浄フィルターにおけるフィルター材の交換は、取り付けパネルから空気清浄フィルターの全体を取り外したあと、第１のフレームと第２のフレームとの係合を外してフィルター材を取り外し、新しいフィルター材を再度装着する（例えば、特許文献１公報参照）。
【０００４】
【特許文献１】
特開平１１−６３５９７号公報
【０００５】
【発明が解決しようとする課題】
従来の空気調和機の空気清浄フィルターは、フレームの長さが表面と裏面で同じ長さのため、装着時の形状が湾曲した場合には装着出来ないという問題点があった。
【０００６】
この発明は上記の様な問題点を解消するためになされたもので、装着時の形状が湾曲した場合でも正しく装着できる空気調和機の空気清浄フィルター及び空気調和機及び空気清浄フィルターを提供することを目的とする。
【０００７】
【課題を解決するための手段】
この発明に係る空気調和機の空気清浄フィルターは、濾過機能を有する板状のフィルター材と、このフィルター材が装着され、表面及び裏面に格子状リブを設けたフィルター枠部材とを有する空気調和機の空気清浄フィルターにおいて、空気清浄フィルターが湾曲した場合に、曲率の大きい表面側の格子状リブと曲率の小さい裏面側の格子状リブとの間に生じる長さの差を吸収する形状変化量差吸収部を、曲率の小さい裏面側の格子状リブに設けたことを特徴とする。
【０００８】
【発明の実施の形態】
以下、この発明の実施の形態を図面に基づいて説明する。
実施の形態１．
図１、２は実施の形態１を示す図で、図１は空気清浄フィルターを示す斜視図、図２は空気清浄フィルターが装着された空気調和機の断面図である。
図において、室内に設置する空気調和機１２のパネル１３の前面に空気吸込口のグリル１４が設けられ、その空気吸込口のグリル１４の背後に送風機１５と、送風機１５を覆うように配置された熱交換器１６が内蔵されている。パネル１３の下部に空気吹出口１７が設けられ、フラップ１８により開閉および吹出方向の調整が行われる。
【０００９】
グリル１４と熱交換器１６の間には、熱交換器１６の断面配置に合わせて空気清浄フィルター１１が取り付けられている。空気清浄フィルター１１は綿埃などを除去する濾過機能を有する板状のフィルター材１０と、このフィルター材１０を装着するフィルター枠部材１９が熱交換器１６を全面に覆うように構成され、フィルター枠部材１９が折り曲げ自在に変形するように構成されている。フィルター枠部材１９の表面２０と裏面２１には、それぞれフィルターの外れを防ぐための格子２２が設けられており、両者は一体成型で成型される。
【００１０】
このフィルター枠部材１９の裏面２１の格子２２は、縦格子２３と横格子２５で構成されているが、縦格子２３のフィルター枠部材１９の上面、下面につながる部分が廃止され、その部分に形状変化量差吸収部の一例の格子廃止部２４を形成している。
但し、縦格子２３を廃止する部分は、縦格子２３のフィルター枠部材１９の上面、下面につながる部分に限定されるものではない。どの部分でもよい。
さらに、縦格子２３のフィルター枠部材１９の上面、下面につながる部分の少なくとも何れか一方が廃止されていればよい。
【００１１】
次に空気清浄フィルター１１の作用について以下に説明する。図２に示すように、空気清浄フィルターは、グリル１４と熱交換器１６の間に熱交換器１６の断面配置に合わせて、装着時の形状が湾曲した状態で取り付けられており、空気清浄フィルター１１の厚さによって、表面２０と裏面２１の曲率の違いにより、縦格子２３の長さの差が生じる。ここで、裏面２１に形成された格子廃止部２４は、この長さの差を吸収して、空気清浄フィルター１１が湾曲した状態でも、表面２０と、裏面２１が正しい位置で機能するように配置される。
【００１２】
また、縦格子２３のフィルター枠部材１９の上面、下面につながる部分の少なくとも何れか一方を廃止することにより、例えばフィルター材１０のフィルター枠部材１９への装着は、裏面２１の下側から上側に滑らせるように装着することができる。この方法をとることにより、表面２０と裏面２１が一体で成型することができ、更に、格子廃止部２４が装着されていることにより、一体成型品が湾曲した形状に柔軟に対応できる。
【００１３】
以上のように格子廃止部２４が裏面２１に形成されていることにより、フィルター材１０の厚さが厚い場合であっても、熱交換器１６の断面配置に合わせて湾曲した状態でも装着出来るようになる。
【００１４】
また、格子廃止部２４がフィルター枠部材１９の挿入時の先端側に位置するように裏面２１に設けられた場合、格子廃止部２４がフィルター材１０の挿入口と兼用することが出来る。
【００１５】
実施の形態２．
図３は実施の形態２を示す図で、空気清浄フィルターの要部斜視図である。実施の形態１では、格子廃止部２４の形状は特に規定していないが、図３に示すように、枠で囲う形状の枠形状部２７にしてもよい。この枠形状部２７が形状変化量差吸収部として機能する。空気清浄フィルター１１が湾曲した場合、枠形状部２７の横格子２５がたわむことにより、形状変化を吸収する。
【００１６】
また、裏面２１の縦格子２３が、枠形状部２７の横格子２５のほぼ中央に位置するように設けると、枠形状部２７が有効に変化量の差を吸収することが出来る。
【００１７】
実施の形態３．
図４、５は実施の形態３を示す図で、図４は空気清浄フィルターの要部斜視図、図５は空気清浄フィルターの要部断面図である。実施の形態１では、格子２２の配置を規定していないが、図１に示すように裏面側の横格子２５を斜めに配置することにより、空気調和機１２に設置した際、図４、５に示すように、表面２０側の横格子２５ａと、裏面２１側の横格子２５ｂが風の流れ方向に重なり、横格子２５が障害物とならないようにすることが出来る。
【００１８】
【発明の効果】
この発明に係る空気調和機の空気清浄フィルターは、空気清浄フィルターが湾曲した場合に、曲率の大きい表面側の格子状リブと曲率の小さい裏面側の格子状リブとの間に生じる長さの差を吸収する形状変化量差吸収部を、曲率の小さい裏面側の格子状リブに設けたことにより、空気清浄フィルターが湾曲した状態でも、正しい位置で機能するように配置される。
【図面の簡単な説明】
【図１】実施の形態１を示す図で、空気清浄フィルターを示す斜視図である。
【図２】実施の形態１を示す図で、空気調和機の断面図である。
【図３】実施の形態２を示す図で、空気清浄フィルターの要部斜視図である。
【図４】実施の形態３を示す図で、空気清浄フィルターの要部斜視図である。
【図５】実施の形態３を示す図で、空気清浄フィルターの要部断面図である。
【符号の説明】
１０　フィルター材、１１　空気清浄フィルター、１２　空気調和機、１３　パネル、１４　グリル、１５　送風機、１６　熱交換器、１７　空気吹出口、１８　フラップ、１９　フィルター枠部材、２０　表面、２１　裏面、２２　格子、２３　縦格子、２４　格子廃止部、２５　横格子、２７　枠形状部。
【図１】
2004108705.tif 000003
【図２】
2004108705.tif 000004
【図３】
2004108705.tif 000005
【図４】
2004108705.tif 000006
【図５】
2004108705.tif 000007